(57)【要約】【課題】  投薬や血圧測定等の医療処置を施す際の患者照合ミスによって発生する医療事故を防止する。【解決手段】  患者認証端末３は、患者に対し割当てられた識別情報及び／または患者の医療処置情報である第１記録情報が記録された第１記録媒体から第１記録情報を読込むリード手段３３と、患者に対し割当てられた識別情報及び／または患者の医療処置情報である第２記録情報が記録された第２記録媒体から第２記録情報を読込むリード手段３２とを具備し、第１記録情報又は第１記録情報で特定される第１の医療処置情報と第２記録情報又は第２記録情報で特定される第２の医療処置情報とを照合及び／または表示可能である。【選択図】  図１
2005118224.tif 000002
【特許請求の範囲】
【請求項１】
患者に対し割当てられた識別情報及び／または患者の医療処置情報である第１記録情報が記録された第１記録媒体から第１記録情報を読込むリード手段と、
患者に対し割当てられた識別情報及び／または患者の医療処置情報である第２記録情報が記録された第２記録媒体から第２記録情報を読込むリード手段と、
を具備し、
第１記録情報又は第１記録情報で特定される第１の医療処置情報と第２記録情報又は第２記録情報で特定される第２の医療処置情報とを照合及び／または表示可能なことを特徴とする患者認証端末。
【請求項２】
患者に対し割当てられた識別情報及び／または患者の医療処置情報である第１記録情報が記録された第１記録媒体から第１記録情報を読込むリード手段を具備すると共に、患者に対し割当てられた識別情報及び／または患者の医療処置情報である第２記録情報が記録された第２記録媒体から第２記録情報を読込むリード手段を具備する患者認証端末と、
患者認証端末と通信によって第１記録情報及び第２記録情報を取得し、第１記録情報又は第１記録情報で特定される第１の医療処置情報と第２記録情報又は第２記録情報で特定される第２の医療処置情報とを照合及び／または表示可能な管理装置と、
からなることを特徴とする患者認証システム。
【請求項３】
患者に対し割当てられた識別情報である第１記録情報を記録可能な第１記録媒体と、第１記録情報で特定される患者の医療処置情報及び／または医療処置情報を特定可能な医療処置特定情報である第３記録情報を記録可能な第３記録媒体とを具備する記録媒体。
【請求項４】
患者に対し割当てられた識別情報及び／または患者の医療処置情報である第１記録情報が記録された第１記録媒体から第１記録情報を読込むリード手段と、
患者に対し割当てられた識別情報及び／または患者の医療処置情報である第２記録情報が記録された第２記録媒体から第２記録情報を読込むリード手段と、
読込まれた第１記録情報又は第１記録情報で特定される第１の医療処置情報と読込まれた第２記録情報又は第２記録情報で特定される第２の医療処置情報とを照合可能な照合手段と、
照合手段において照合が取れた場合に患者の医療処置情報及び／または医療処置情報を特定可能な医療処置特定情報を第３記録媒体に記録するライト手段と、
を具備することを特徴とする患者認証端末。
【請求項５】
患者に対し割当てられた識別情報及び／または患者の医療処置情報である第１記録情報が記録された第１記録媒体から第１記録情報を読込むリード手段と、
患者に対し割当てられた識別情報及び／または患者の医療処置情報である第２記録情報が記録された第２記録媒体から第２記録情報を読込むリード手段と、
読込まれた第１記録情報又は第１記録情報で特定される第１の医療処置情報と読込まれた第２記録情報又は第２記録情報で特定される第２の医療処置情報とを照合可能な照合手段と、
照合手段において照合が取れた場合に患者の医療処置情報及び／または医療処置情報を特定可能な医療処置特定情報を第３記録情報として第３記録媒体に記録し、且つ、第３記録媒体に記録された第３記録情報を読込み可能なリードライト手段と、
読込まれた第３記録情報を表示可能な表示手段と、
を具備することを特徴とする患者認証端末。
【請求項６】
請求項１〜請求項５の何れかに記載の第１記録媒体に、患者を認証可能な認証情報を記録して発行することを特徴とする患者認証用第１記録媒体発行装置。
【請求項７】
請求項１、請求項２、請求項４、及び、請求項５の何れかに記載の第２記録媒体に第２記録情報を記録して発行する患者認証用第２記録媒体発行装置。
【請求項８】
患者に対し割当てられた識別情報及び／または患者の医療処置情報である第１記録情報を読込む第１情報リードステップと、
患者に対し割当てられた識別情報及び／または患者の医療処置情報である第２記録情報を読込む第２情報リードステップと、
読込まれた第１記録情報又は第１記録情報で特定可能な第１の医療処置情報と、読込まれた第２記録情報又は第２記録情報で特定可能な第２の医療処置情報とを照合する照合ステップと、
照合ステップにおける照合の結果を通知する通知ステップと、
からなることを特徴とする患者認証方法。
【請求項９】
患者に対し割当てられた識別情報及び／または患者の医療処置情報である第１記録情報を読込む第１情報リードステップと、
患者に対し割当てられた識別情報及び／または患者の医療処置情報である第２記録情報を読込む第２情報リードステップと、
読込まれた第１記録情報又は第１記録情報で特定される第１の医療処置情報と、読込まれた第２記録情報又は第２記録情報で特定可能な第２の医療処置情報とを照合する照合ステップと、
照合ステップにおいて照合が取れた場合に患者の医療処置情報及び／または医療処置情報を特定可能な医療処置特定情報を第３記録情報として第３記録媒体に記録する第３情報ライトステップと、
からなることを特徴とする患者認証方法。
【請求項１０】
患者に対し割当てられた識別情報及び／または患者の医療処置情報である第１記録情報を読込む第１情報リードステップと、
患者に対し割当てられた識別情報及び／または患者の医療処置情報である第２記録情報を読込む第２情報リードステップと、
読込まれた第１記録情報又は第１記録情報で特定される第１の医療処置情報と読込まれた第２記録情報又は第２記録情報で特定可能な第２の医療処置情報とを照合する照合ステップと、
照合ステップにおいて照合が取れた場合に患者の医療処置情報及び／または医療処置情報を特定可能な医療処置特定情報を第３記録情報として第３記録媒体へ記録する第３情報ライトステップと、
第３記録媒体から第３記録情報を読込む第３情報リードステップと、
読込まれた第３記録情報を通知する通知ステップと、
を有することを特徴とする患者認証方法。
【発明の詳細な説明】
【技術分野】
【０００１】
この発明は、患者に対する回診時の診察や投薬等の医療処置を支援する認証システムに関する。
【背景技術】
【０００２】
入院時に行われる病室への回診では、医師あるいは看護士が患者本人に対して問診したり、あるいは患者の病状に合わせた投薬が行われている。
しかしながら、回診時には、複数いる患者の回診時データは、チェックシートのような用紙に各患者のデータを看護士が書き込み、回診を終了してナースステーションに戻ってきてから、患者データを各患者毎のデータベースに手入力により入力していた。
また、従来例としては、回診時に取得する入院患者の脈拍、数血圧、呼吸数等の患者情報を一元管理するシステムとして『看護業務支援システム１』（特開平９−１４９８８９号、以下従来例１という。）があった。
従来例１は、
『（請求項１）  情報を画面上に表示すると共に情報を入力し得る入出力手段と、前記情報を送信すると共に送信される情報を受信する携帯用端末側送受信手段とを有する携帯型の携帯用端末と、前記携帯用端末から送信される情報を記憶する記憶手段と、この記憶手段に記憶される情報を前記携帯用端末に送信すると共に前記携帯用端末から送信される情報を受信する管理システム側送受信手段とを有する管理システムと、を有し、前記携帯用端末により入力された情報を前記管理システムで一元的に記憶すると共に、この記憶される情報を前記携帯用端末から参照し得るようにしたことを特徴とする看護業務支援システム。
（請求項２）  前記携帯用端末側送受信手段と前記管理システム側送受信手段との情報の送受信は、無線により行うことを特徴とする請求項１記載の看護業務支援システム。
（請求項３）  前記携帯用端末側送受信手段と前記管理システム側送受信手段との情報の送受信は、電話回線により行うことを特徴とする請求項１記載の看護業務支援システム。』
からなり、図３に表すように看護業務支援システム１０１は携帯用端末１３０及び管理システム１１０とからなる。携帯用端末１３０と管理システム１１０とは相互にデータの送受信が可能である。
【０００３】
携帯用端末１３０には、入出力手段である入出力部１３５を備え、入出力部１３５から入力された情報を管理システム１１０に送信する、或いは管理システム１１０から送信された情報を入出力部１３５から出力するための携帯用端末側送受信手段である携帯用端末側送受信部１３１を備える。
管理システム１１０には、記憶手段である管理システム側記憶部１１５を備え、携帯用端末１３０から送信されるデータを管理システム側記憶部１１５に記憶させるために受信可能であり、また管理システム側記憶部１１５に記憶されたデータを携帯用端末１３０へ送信可能な管理システム側送受信手段である管理システム側送受信部１１９を備える。
管理システム１１０では、看護士等により、患者の氏名、患者ＩＤ、一般患者か重症患者かの区分等の患者情報が予め入力され、この患者情報は管理システム側記憶部１１５へ患者毎に記憶される。
そこで、医師または看護士は入院患者の回診時に看護業務支援システム１０１の携帯用端末１３０を持参する。携帯用端末１３０は予め複数用意され、複数の医師または看護士により携帯利用される。
回診に際し、医師または看護士は携帯用端末１３０の入出力部１３５から、担当する患者の氏名や病室番号等必要な患者情報を入力する。そして、該患者情報を携帯用端末側送受信部１３１から管理システム１１０へ送信すると共に送信した患者情報に対応する患者の情報を管理システム１１０へ送信させるよう指示する。すると、携帯用端末１３０は、入力された患者情報を管理システム１１０に送信する。
【０００４】
管理システム１１０では、送信された患者情報に対応する患者の情報を管理システム側記憶部１１５から読み出し携帯用端末１３０へ管理システム側送受信部１１９から当該携帯用端末１３０へ送信する。
すると、当該携帯用端末１３０では、管理システム側送受信部１１９から送信された患者情報を受信し記憶する。
この状態で医師または看護士は携帯用端末１３０を持参して回診の巡回にあたる。
そして、医師または看護士は、最初に問診等を行う患者の氏名を携帯用端末１３０の入出力部１３５から入力する。携帯用端末１３０では患者氏名が入力されると、先に管理システム１１０から入力してい記憶した該当する患者氏名の患者情報を表示する。
医師または看護士は、表示された患者情報を参照しながら問診や血圧等のデータ採取を行い、患者から得た情報を入出力部１３５から入力し、該データを管理システム１１０へ送信するよう指示する。
携帯用端末１３０では、指示に基づき携帯用端末側送受信部１３１から管理システム１１０へ送信する。
管理システム１１０では、管理システム側送受信部１１９が携帯用端末１３０から送信された情報を受信して該情報を対応する患者の情報として管理システム側記憶部１１５へ記憶する。
【０００５】
このように、従来例１では、医師または看護士が予め回診する患者の情報を管理システム１１０から取得して記憶させた携帯用端末１３０を持参し、回診した際の患者の情報を情報取得日時と共に携帯用端末１３０から管理システム１１０へ送信して記憶させることで、回診時に得た情報を管理システム１１０が患者に対応して一元管理可能となった。
従って、従来例１では患者に関する情報を管理システム１１０が一元管理することで、特定の患者から取得した血圧の経時的変化をコンピュータ処理により瞬時にグラフに表す等が可能になった。
【特許文献１】特開平９−１４９８８９号公報
【発明の開示】
【発明が解決しようとする課題】
【０００６】
しかしながら、回診時や投薬時に行われる患者の認証は看護士の視認によって行われるのみであったため、よく似た患者の氏名があった場合や、異なる病室に同姓同名の患者が入信している場合などには、最初に携帯用端末１３０に情報を得る際に間違えてしまうと入院患者のデータを誤って作成してしまうという問題点を有した。また、回診時に用意される複数の患者宛の投薬を各患者に渡す際には、患者の認証はやはり医師あるいは看護士の視認によるのみなので、間違えて投薬してしまう可能性があり、重大な医療ミスを引き起こす場合があるという問題があった。
そこでこの発明は、患者の認証を確実にして認証ミスによる医療ミスを起こし難い診察投薬認証システムを提供する。
【課題を解決するための手段】
【０００７】
そこでこの発明は、
患者に対し割当てられた識別情報及び／または患者の医療処置情報である第１記録情報が記録された第１記録媒体から第１記録情報を読込むリード手段と、患者に対し割当てられた識別情報及び／または患者の医療処置情報である第２記録情報が記録された第２記録媒体から第２記録情報を読込むリード手段とを具備し、第１記録情報又は第１記録情報で特定される第１の医療処置情報と第２記録情報又は第２記録情報で特定される第２の医療処置情報とを照合及び／または表示可能なことを特徴とする患者認証端末、
【０００８】
を提供する。そして、この発明による患者認証端末では、第１記録情報又は第１記録情報で特定される第１の医療処置情報と第２記録情報又は第２記録情報で特定される第２の医療処置情報とを照合及び／または表示可能のため、例えば、異なる者が別々に発行する、第１記録媒体（病院の受付で発行する診察券等）より読込んだ第１記録情報（例えば患者ＩＤ等）により、第２記録媒体（薬局で発行する薬のパレット等）より読込んだ第２記録情報（例えばその医療処置を行うべき患者ＩＤ等）が、一致するか否かを照合及び／または表示可能となり、その患者に対する医療処置が正しいか否かを確認できる。
【０００９】
尚、第１記録情報又は第１記録情報で特定される第１の医療処置情報と第２記録情報又は第２記録情報で特定される第２の医療処置情報とを照合及び／または表示とは、例えば、上記した如くの特定患者ＩＤ（第１記録情報）とその医療処置を行うべき患者ＩＤ（第２記録情報）を照合及び／または表示（連続的表示とか並べて表示）してもよいし、また例えば、特定患者への医療処置情報（第１記録情報）と特定患者への医療処置情報（第２記録情報）とを照合及び／または表示（連続的表示とか並べて表示）してもよいし、また例えば、特定患者のＩＤ（第１記録情報）に基づき検索された特定患者への医療処置情報と特定患者のＩＤ（第２記録情報）に基づき検索された特定患者への医療処置情報とを照合及び／または表示（連続的表示とか並べて表示）してもよいし、また例えば、特定患者のＩＤ（第１記録情報）が医療処置のＩＤ（第２記録媒体）に基づき検索されたその医療処置を行うべき患者のＩＤリストに含まれるか否かの照合及び／または表示してもよい。これら列挙した如く、第１記録情報又は第１記録情報で特定される第１の医療処置情報と第２記録情報又は第２記録情報で特定される第２の医療処置情報とを照合及び／または表示とは、幾多の場合が例示できる。
【００１０】
また尚、第１記録情報をつけるものとしては、例えば、診察券、カルテ、投薬等医療処置実績書き込み表、ネームプレート、病室ベッド番号札、医療処置指示書、等が例示でき、第２記録媒体をつけるものとしては薬袋、点滴、複数の錠剤やカプセルの１０個入パレット（セット）、粉薬の包み紙、注射薬のアンプル、人工透析・放射線等の医療処置を行う各装置、ＣＴスキャン・血液検査等の各検査、医療処置指示書、等が例示できる。勿論、第１記録情報をつけるものは複数のものであってもよいし、第２記録情報をつけるものも複数のものであってもよい。
【００１１】
また尚、第１記録媒体、第２記録媒体としては、ＩＣカードのＩＣ、磁気カードの磁気記録面、印刷されたバーコード等種々の態様が考えられ、夫々利用する場面に応じ適宜選択する。これに伴って、第１記録情報及び第２記録情報を読込むリード手段も、ＩＣカードリーダライタ、磁気カードリーダライタ、バーコードリーダライタ等それぞれを読込み可能な手段を選択すれば足り、両記録媒体が同一の場合には１のリード手段で足り、異なる場合には２のリード手段が用意される。勿論両記録媒体が同一の場合でも２のリード手段を用意することは可能である。
【００１２】
また尚、両情報を照合することによって、例えば異なる部署で発行された患者の所持している第１記録情報と薬袋に記録された第２記録情報との照合が取れ、両情報に割当てられた患者の識別情報が同じであるか否かの判断が可能である。患者認証端末では、照合結果をビープ音やランプ等によって表しても良く、液晶表示手段に両情報を表示して医者あるいは看護士が照合可能な状態にしても良く、更には照合結果を表すと共に表示手段に両情報を表示しても良い。又、表示手段に表示する場合、例えば、全情報を表示するか特定の情報を表示するかは、予め定めた情報を表示するように構成するかあるいは端末操作によって適宜選択可能に構成するとよい。
【００１３】
又、第１記録情報の識別情報をリード手段が読込むことで、第１記録情報から特定される第１の医療処置情報を、患者認証端末が通信等によって他の記録手段から取得可能であるとか予め自身に設けておく記録手段に記録されている等、第１記録情報によって特定される第１の医療処置情報を取得し、取得した第１の医療処置情報を照合及び又は表示の対象とする情報とすることも可能であり、第２記録情報についても同様に第２の医療処置情報を照合及び又は表示の対象とする情報とすることも可能である。
【００１４】
即ち、第１記録情報及び第２記録情報の何れかに患者に割当てられた識別情報を含み、識別情報を含まない記録情報に医療処置情報を含む場合には、一方の識別情報により特定される医療処置情報と、他方の読込んだ医療処置情報との照合をとるか、医療処置情報を表示するか、照合及び表示を行う。即ち、例えば、第１記録情報に医療処置情報が含まれない場合には、第１記録情報で特定される第１の医療処置情報と第２記録情報に記録された医療処置情報とを照合することで照合が取れる。第２記録情報に医療処置情報が含まれない場合も同様に行われる。
【００１５】
このように、照合及び／または表示する一方の情報あるいは両方の情報は、第１記録情報あるいは第２記録情報から特定される医療処置情報であっても可能である。
そして、これらのように照合及び／または表示を行えることで、一方の記録媒体を患者が所持し、他方の記録媒体を薬袋等が具備していることで、両記録媒体に記録されている記録情報から、相互の照合及び又は表示を行えるので、患者に与える薬が正しいか否かを正確にしかも瞬時に判断可能である。特に、記録媒体がバーコードによる場合には、薬に限らず、例えば、回診時に持ち歩くカルテや放射線治療等の治療方法が記載された書類等に貼付して簡単に実施可能である。
【００１６】
又この発明では、
患者に対し割当てられた識別情報及び／または患者の医療処置情報である第１記録情報が記録された第１記録媒体から第１記録情報を読込むリード手段を具備すると共に、患者に対し割当てられた識別情報及び／または患者の医療処置情報である第２記録情報が記録された第２記録媒体から第２記録情報を読込むリード手段を具備する患者認証端末と、
患者認証端末と通信によって第１記録情報及び第２記録情報を取得し、第１記録情報又は第１記録情報で特定される第１の医療処置情報と第２記録情報又は第２記録情報で特定される第２の医療処置情報とを照合及び／または表示可能な管理装置と、
からなることを特徴とする患者認証システム、
【００１７】
を提供する。従って、第１記録情報、第２記録情報、１記録情報によって特定される第１の医療処置情報、第２記録情報によって特定される第２の医療処置情報によって行われる照合及び／または表示は、通信によって患者認証端末と情報の授受が可能な管理装置によって行うことが可能となり、記録部容量や表示部が簡便なものでも足りるので、患者認証端末の小型化・軽量化・廉価が計れる。また、第１の医療処置情報、第２の医療処置情報を管理装置あるいは管理装置と有線で接続するハードディスク等の記録媒体に記録しておくことで、第１記録情報あるいは第２記録情報から第１の医療処置情報あるいは第２の医療処置情報を特定・照合を素早く行うことが可能となる。更に、照合の結果や表示を管理装置によって行うことで、例えば患者認証端末を看護士が所持して病室等で患者から何れかの記録情報をリード手段によって取得し、他方の記録情報を患者に投与している点滴等の投薬から取得し、管理装置のある遠隔地にいる医師がその適否を判断して看護士に伝える等できる。
【００１８】
更にこの発明では、
患者に対し割当てられた識別情報である第１記録情報を記録可能な第１記録媒体と、第１記録情報で特定される患者の医療処置情報及び／または医療処置情報を特定可能な医療処置特定情報である第３記録情報を記録可能な第３記録媒体とを具備する記録媒体、
【００１９】
を提供する。第１記録媒体に記録された第１記録情報で特定される患者の医療処置情報あるいは特定可能な医療処置特定情報又はその両方を第３記録媒体に記録し、第１記録媒体及び第３記録媒体を具備する記録媒体では、例えば入院受付時に患者の認証情報を該記録媒体の具備する第１記録媒体に記録しておき、入院後に行われる医療処置情報を医療処置が行われた時点で随時に該記録媒体の具備する第３記録媒体に記録することが例示できる。従ってこの場合、患者に割当てられた識別情報は入院受付時に記録され、入院後の医療処置が行われた時には第３記録媒体に医療処置情報を特定可能な医療処置特定情報の書換や追記の記録がなされる。
尚、医療処置情報を特定可能な医療処置特定情報とは、医療処置情報を記録した記録エリアを参照可能なＩＤ情報であって、該ＩＤ情報によって第１記録情報に対応する患者の医療処置情報を特定できる。
【００２０】
更にこの発明では、
患者に対し割当てられた識別情報及び／または患者の医療処置情報である第１記録情報が記録された第１記録媒体から第１記録情報を読込むリード手段と、
患者に対し割当てられた識別情報及び／または患者の医療処置情報である第２記録情報が記録された第２記録媒体から第２記録情報を読込むリード手段と、
読込まれた第１記録情報又は第１記録情報で特定される第１の医療処置情報と読込まれた第２記録情報又は第２記録情報で特定される第２の医療処置情報とを照合可能な照合手段と、
照合手段において照合が取れた場合に患者の医療処置情報及び／または医療処置情報を特定可能な医療処置特定情報を第３記録媒体に記録するライト手段と、
を具備することを特徴とする患者認証端末、
及び、
患者に対し割当てられた識別情報及び／または患者の医療処置情報である第１記録情報が記録された第１記録媒体から第１記録情報を読込むリード手段と、
患者に対し割当てられた識別情報及び／または患者の医療処置情報である第２記録情報が記録された第２記録媒体から第２記録情報を読込むリード手段と、
読込まれた第１記録情報又は第１記録情報で特定される第１の医療処置情報と読込まれた第２記録情報又は第２記録情報で特定される第２の医療処置情報とを照合可能な照合手段と、
照合手段において照合が取れた場合に患者の医療処置情報及び／または医療処置情報を特定可能な医療処置特定情報を第３記録情報として第３記録媒体に記録し、且つ、第３記録媒体に記録された第３記録情報を読込み可能なリードライト手段と、
読込まれた第３記録情報を表示可能な表示手段と、
を具備することを特徴とする患者認証端末、
【００２１】
を提供する。
これによれば、第３記録媒体への記録は、第１記録情報又は第１記録情報で特定できる第１の医療処置情報と第２記録情報又は第２記録情報で特定できる第２の医療処置情報とを前記同様照合後に、ライト手段によって照合された医療処置情報あるいは医療処置情報を特定可能な医療処置特定情報又はその両情報を第３記録媒体に記録する。
更に、第３記録媒体に医療処置情報を第３記録情報として記録可能であると共に記録された第３記録情報を読込み可能なリードライト手段を具備する患者認証端末では、第３記録媒体に記録された医療処置情報は、更に記録された第３記録情報を読込んで表示手段に表示可能である。
そして、第１記録媒体は、当初記録されて以後は読込み専用となるのでより安価なバーコード等の記録媒体を選択するのが好ましい。
【００２２】
又、前記第１記録媒体に、患者を認証可能な認証情報を記録して発行する患者認証用第１記録媒体発行装置、及び、前記第２記録媒体に第２記録情報を記録して発行する患者認証用第２記録媒体発行装置、
【００２３】
を提供することで、患者認証端末及び患者認証システムに用いる第１記録情報を第１記録媒体に記録して発行可能であり、同様に第２記録情報を第２記録媒体に記録して第２記録媒体を発行可能である。発行される第１記録媒体及び第２記録媒体は、ＩＣカード、磁気カード、バーコードを印刷したバーコードシール等患者認証端末あるいは患者認証システムで用いる記録媒体に対応した発行装置でよい。
【００２４】
更にまた、この発明では、上記各装置及びシステムにおける認証を可能にするために、
患者に対し割当てられた識別情報及び／または患者の医療処置情報である第１記録情報を読込む第１情報リードステップと、
患者に対し割当てられた識別情報及び／または患者の医療処置情報である第２記録情報を読込む第２情報リードステップと、
読込まれた第１記録情報又は第１記録情報で特定可能な第１の医療処置情報と、読込まれた第２記録情報又は第２記録情報で特定可能な第２の医療処置情報とを照合する照合ステップと、
照合ステップにおける照合の結果を通知する通知ステップと、
からなることを特徴とする患者認証方法、
【００２５】
を提供する。この患者認証方法では、第１情報リードステップが第１記録情報を読込み、第２情報リードステップが第２記録情報を読込む。読込まれた第１記録情報と第２記録情報とは、照合ステップにおいて照合される。この時、照合される情報の一方は第１記録情報か第１記録情報によって特定される第１の医療処置情報であり、他方は読込まれた第２記録情報か第２記録情報によって特定される第２の医療処置情報であって、一方の情報と他方の情報とが照合される。
そして、照合された結果は、通知ステップによって通知される。この場合の通知は、照合が取れたときにビープ音等の音を発生するように指示するとか、照合結果を表示させるとか、照合された両情報を表示させる等種々の方法が考えられ、これら種々の方法による通知をさせるステップである。
そして、これらのステップによって読込まれた第１記録情報と第２記録情報とから、患者に対し割当てられた識別情報相互や、患者の医療処置情報相互、更には、識別情報と医療処置情報との照合が可能となる。
【００２６】
更にまた、この発明では、前記第３記録媒体を用いて該第３記録媒体に情報を記録させる患者認証方法として、
患者に対し割当てられた識別情報及び／または患者の医療処置情報である第１記録情報を読込む第１情報リードステップと、
患者に対し割当てられた識別情報及び／または患者の医療処置情報である第２記録情報を読込む第２情報リードステップと、
読込まれた第１記録情報又は第１記録情報で特定される第１の医療処置情報と、読込まれた第２記録情報又は第２記録情報で特定可能な第２の医療処置情報とを照合する照合ステップと、
照合ステップにおいて照合が取れた場合に患者の医療処置情報及び／または医療処置情報を特定可能な医療処置特定情報を第３記録媒体に記録する第３情報ライトステップと、
からなることを特徴とする患者認証方法、
【００２７】
を提供すると共に、更に第３記録媒体に記録した情報を読込み該情報を通知する患者認証方法として、
【００２８】
患者に対し割当てられた識別情報及び／または患者の医療処置情報である第１記録情報を読込む第１情報リードステップと、
患者に対し割当てられた識別情報及び／または患者の医療処置情報である第２記録情報を読込む第２情報リードステップと、
読込まれた第１記録情報又は第１記録情報で特定される第１の医療処置情報と読込まれた第２記録情報又は第２記録情報で特定可能な第２の医療処置情報とを照合する照合ステップと、
照合ステップにおいて照合が取れた場合に患者の医療処置情報及び／または医療処置情報を特定可能な医療処置特定情報を第３記録情報として第３記録媒体へ記録する第３情報ライトステップと、
第３記録媒体から第３記録情報を読込む第３情報リードステップと、
読込まれた第３記録情報を通知する通知ステップと、
を有することを特徴とする患者認証方法、
【００２９】
を提供する。そして、これら患者認証方法では、先に説明した患者認証方法に加え、読込まれた第１記録情報及び第２記録情報に基づいて、両情報の照合が取れた場合に、第３情報ライトステップが照合の取れた患者の医療処置情報を第３記録媒体に記録する。これにより、例えばカード様の同一筐体内に第１記録媒体と第３記録媒体とを具備する記録媒体を用いて第３記録媒体に患者の医療処置情報を記録可能となり、カード様の記録媒体中には患者に対し割当てられた識別情報と患者の医療処置情報とが別個の記録媒体に記録されることとなり、入院時には患者に対し認証情報を割当てて第１記録媒体に記録して該情報を以後書換えずにおき、同患者に対して施されたあるいはこれから施される医療処置情報あるいは医療処置情報を特定可能な医療処置特定情報又はその両情報を第３記録媒体に記録することで、書換時に誤って患者の識別情報までを書換えてしまうことが無くなるとともに、第１記録媒体に記録された患者の認証情報により施された医療処置を履歴として参照できるので医学的に正しい医療処置であったか否か後程正しく検証できる。
更には、第３情報リードステップを有すると共に第３記録情報を通知する通知ステップを設けることで、該第３記録媒体に記録された患者の医療処置情報である第３記録情報を読込み、該読込んだ情報を通知させることができる。
【発明の効果】
【００３０】
従って、この発明によれば、予め患者に対し、患者を認証可能な認証情報又は患者の医療処置情報、若しくは両情報を記録した第１記録媒体あるいは第２記録媒体の何れか一方の記録媒体を所持させておき、他方の記録媒体に記録されている患者を認証可能な認証情報又は患者の医療処置情報若しくは両情報との照合が必要なときに、両記録媒体に記録された情報に基づいて認証が可能となるので、例えば他方の記録媒体が薬袋に設けられている場合には、両記録媒体に記録されている情報を照合することで患者と患者に関する物との対応の正否が容易にできる。これにより例えば患者に与える薬の誤投薬や、患者に対応していないカルテに基づく誤った判断や治療を防止することが可能となり、人的な患者認証の誤りを防止できる。
【００３１】
一方の記録媒体は患者が携帯するので、病室に限らず、例えば食事制限がある患者では配膳室から食事を受け取る際に配膳室の担当者が患者認証端末によって患者の持参した患者カードから認証情報を取得すると共に配膳室にある該患者用の食事に予め与えられたバーコードとを照合可能であるので、確実に該当する患者に配膳することができる。
【００３２】
又、第３記録媒体を用いることで、１つの記録媒体例えばカード様のものに認証情報と医療処置情報とを別の記録媒体に記録できるので、例えば認証情報が入院時、医療処置情報が医療処置時、に夫々書き換えられて記憶でき、医療処置時に他の患者の名前を間違えて書き込むこともない。又、一方の記録媒体が壊れて読込み不可能となった場合でも、患者の特定を行うことができ、更に効果的に医療ミスを防止できる。しかも患者認証情報と医療処置情報を書き込む媒体が別体の場合では、ナースなどが医療処置を書き込んだ媒体を他の患者の場所においてしまい、そのまま間違った医療処置が行われてしまう場合があるが、同一筐体に個別の記録媒体を用意して情報を記録するので、このような医療ミスも防止できる。更には、医療処置情報を記録した第３記録情報の中にも認証情報を記録しておけば、同一筐体である記録媒体中で、認証情報が第１記録媒体及び第３記録媒体で２重に記録されているため、患者を取り違えるというミスが更に起きづらい。
また、例えば第１記録媒体をバーコードや磁気層で形成し、第２記録媒体をＲＦＩＤタグで形成するなど、異なる記録媒体を用いることで、誤書込みを防止できる。
【発明を実施するための最良の形態】
【００３３】
以下に、この発明の実施の形態を図面に基づき説明する。
図１はこの発明の実施の形態を説明するシステム構成図であり、図２は患者認証端末の説明図である。
１はこの発明にかかる患者の認証システムである。患者認証システム１は、患者が携帯するＩＣカードからなる患者カード２と、回診や検温等の巡回時に携帯する患者認証端末３と、患者の個人情報を入力されて記憶管理する情報管理装置４、患者毎に付与される認証情報をバーコードとして印字可能なバーコード印字装置５とからなる。更にまた、患者認証システム１に用いる患者カード２を発行するカード発行装置６を設け、患者認証システム１に用いる患者カード２を発行させる。そして、第２記録媒体としては、薬袋に施されたバーコードを例に以下説明する。薬袋には予めバーコードが印刷されており、該バーコードは第２記録媒体に相当する。この実施の形態では第２記録媒体を薬袋に印刷してあるいは貼付して使用したが、薬袋に限定されるものでもなく、点滴等に直接印字されても良く、又カルテの一部に貼付あるいは印刷されていても良い。更に、第２記録媒体としてバーコードを例として挙げたが、磁気記録面やＩＣからなっても良く、利用形態によって種々のものが考えられ、適宜利用すれば足りる。
【００３４】
患者認証システム１は、この実施の形態では、病院の入院患者に対して適用されるシステムであり、個々の患者のカルテに記載される情報や患者の投薬に関する情報、患者の食事に関する情報等に対応して当該患者に施される当該処置（カルテ記載事項、投薬、食事）と当該処置が施される患者との照合を認証するシステムである。
【００３５】
患者カード２は、非接触型のＩＣカードからなり、入院患者毎に貸与されてそれぞれ異なる認証情報がＩＣ（図示せず）に記憶される。従って、患者カード２のＩＣ（図示せず）に記憶されている認証情報を読み出せば、患者を特定することができる。患者カード２は、表面に携帯する患者本人の顔写真２１が表示されている。顔写真２１は患者入院時に撮影した画像でもよく、また本人が持参した画像でもよく、これら画像を直接患者カード２に印刷してもよくシール等によって貼付するようにしてもよい。患者カード２は、患者カード２を作成した時にただ一度、本人の顔と顔写真２１とＩＣカードに記憶された認証情報との照合を行えば、所持する患者の患者カード２として機能する。尚、顔写真２１は所持する患者本人が正規のカード所持者であるかを確認するのに便利ではあるが必須のものではない。また、患者カード２は、顔写真２１の下部にバーコード２２を表示してなる。バーコード２２は患者の認証情報をバーコード表示したものであり、バーコード２２によっても患者カード２の所持者である患者を特定可能である。しかしながら、バーコード２２は患者カード２表面に記載されたコードであり、カードを偽造する場合には、同じバーコードを表示させるだけですぐに真似できてしまうので、バーコード２２による本人認証は、医薬品の投薬に関する認証等の誤ると危険な認証には用いない。このようにバーコード２２を設けるのは患者カード２の利用範囲を広げることができるためであり、例えば、専用トイレの利用許可等の比較的被害の少ない認証に用い、該認証に必要な認証機に、高価なＩＣカードリードライト手段を設けずとも比較的安価なバーコードリード手段によって実現できるからで、バーコード２２は必ずしも必要ではない。
【００３６】
また、患者カード２のＩＣの認証情報には、例えば患者に投薬した投薬記録をその日時と共に記憶したり、あるいは患者に与えてはいけない薬剤の品種を記憶したり、回診時の脈拍や血圧値などを記憶しておいてもよく、これら記憶は患者認証端末３との間で行われ、ＩＣに記憶できる情報量によっては所定期間経過した古い情報から消去して新しい情報を追加するというように情報量に見合った記憶を行ってもよく、記憶容量が豊富であれば更に多くの情報を記憶してもよい。
更にまた、患者カード２には、第３記録媒体であるＩＣを用いずに形成し、バーコード２２に認証情報として記録するように形成しても良い。この場合には、第１記録媒体はバーコード印刷のみにより形成できるので、安価な記録媒体を提供できる。しかしながら、照合に際しては、医療処置情報を含む多くの情報の記録ができないため、医療処置情報等の他の情報は当該認証情報に紐付けて情報管理装置４等の他の記録媒体を第３記録媒体として記録しておき、患者カード２の認証情報に紐付けて記録された情報を用いることでＩＣに記録したと同等の情報量を確保可能に形成できる。
【００３７】
また、患者カード２のＩＣの認証情報には、例えば患者に投薬した投薬記録をその日時と共に記憶したり、あるいは患者に与えてはいけない薬剤の品種を記憶したり、回診時の脈拍や血圧値などを記憶しておいてもよく、これら記憶は患者認証端末３との間で行われ、ＩＣに記憶できる情報量によっては所定期間経過した古い情報から消去して新しい情報を追加するというように情報量に見合った記憶を行ってもよく、記憶容量が豊富であれば更に多くの情報を記憶してもよい。尚、ＩＣに記録される情報は、患者に対して施された医療処置情報であるが、バーコード２２を設けた場合には、バーコード２２が第１記録媒体を形成しバーコード２２に記録された情報が第１記録情報であって患者に割当てられた識別情報を表し、ＩＣが第３記録媒体を形成しＩＣに記録される情報が第３記録情報であって患者に施された医療処置情報とする。このように、ＩＣとバーコード２２とに情報を記録可能とした場合には、ＩＣへの記録は該患者に医療処置が施されるたびに更新記録されるが、バーコード２２による認証情報は患者入院時に与えられ、以降バーコード２２による表記は更新されず変らないので、認証情報を書換えてしまうというような間違えが起きない。勿論、バーコード２２及びＩＣ共に識別情報が記録されても良く、この場合にはバーコード２２あるいはＩＣが第１記録媒体でありこれに記録されている情報が第１記録情報となる。このように、患者カード２に第１記録媒体及び第３記録媒体としてバーコード２２及びＩＣを設けることで、入院時の識別情報を誤って書換えてしまうことが無くなる。また、患者カード２には、第３記録媒体であるＩＣを用いずに形成し、バーコード２２に認証情報として記録するように形成しても良い。この場合には、第１記録媒体はバーコード印刷のみにより形成できるので、安価な記録媒体を提供できる。しかしながら、照合に際しては、医療処置情報を含む多くの情報の記録ができないため、医療処置情報等の他の情報は当該認証情報に紐付けて情報管理装置４等の他の記録媒体を第３記録媒体として記録しておき、患者カード２の認証情報に紐付けて記録された情報を用いることでＩＣに記録したと同等の情報量を確保可能に形成できる。
【００３８】
患者認証端末３は、ＰＤＡ端末からなり、図２に表すように、入力部３１、バーコードリード手段であるバーコードリード部３２、記録媒体から情報を読込むＩＣカードリードライト手段であるＩＣカードリーダライタ部３３（内蔵される）、表示部３４を備え、医師や看護士等によって操作され、情報管理装置４と無線による情報の授受が可能に形成する。入力部３１は、操作ボタン３５及び表示部３４からなり、操作ボタン３５によって表示した表示位置をタッチすることで簡易に入力可能なタッチパネル方式の入力が行えるように形成する。詳細には、例えば、操作ボタン３５を操作することで表示部３４に『血圧・脈拍・体温・前ページ・次ページ』の表示をさせ、『体温』部分を操作者がタッチすると表示部３４に表示させる画面を切り替え、テンキー、訂正キー、および確定キーを表示させ、この状態で数字及び小数点を順次押圧して検温数値を入力して確定キーを押すことで、患者認証端末３が体温データを取得すると共に表示部３４の表示を前表示に戻すようになっている。また、これら入力部３１からの入力に先立って、現在の捜査対象患者が誰であるかを決定する必要があり、入力部３１からの入力はこの対象患者のデータとして扱われるので、予め対象患者の患者カード２のバーコード２２を患者認証端末３のバーコードリード部３２によって読込み、認証情報を取得しておく。しかしながら、バーコードリード部３２は、第２記録媒体である薬袋５１に印刷された第２記録情報であるバーコード５２を読込むことも可能であり、第１記録情報を読込むためだけのものではなく、必要の記録情報を読込み可能である。尚、第３記録情報である患者カード２のＩＣに記憶された認証情報を第１記録情報として取得しても良く、この場合には第３記録媒体は特に必要とせずともよく第１記録媒体と第２記録媒体との照合が行えればよい。このように第１記録媒体をＩＣとすることで、患者カード２のセキュリティを強化できると共に、認証情報と共に医療処置情報を合わせて記録可能となる。
【００３９】
更にまた、バーコードリード部３２によりバーコードから第２記録情報である認証情報を取得する場合には、取得目的に合った表示を表示部３４に表示させて当該部分をタッチすることで行い、例えば、患者に対して薬が出ており、該投薬が患者に対するものであるか否かを認証する場合には予め操作ボタン３５によって表示部３４に『投薬』表示があるページを表示させて当該表示をタッチし、次いで投薬袋に記載されるバーコードをバーコードリード部３２に近づけて読込ませる。そして、読込んだバーコードの認証情報と予め取得してあった患者カード２のＩＣに記憶されていた認証情報とを照合させてその結果を通知手段の機能を有する表示部３４に表示させる。この実施の形態では、患者認証端末３の制御部（図示せず）が表示部３４に表示することで行うので制御部（図示せず）が通知手段の機能を有するが、音声によって照合結果を通知する、あるいは照合結果が不一致の時のみブザー音によって通知するように形成しても良く、この場合にはそれぞれの手段によって通知するよう制御部（図示せず）が機能すればよい。通知手段にはこの他にもＬＥＤの点灯によって通知するように形成する等種々の手段が考えられる。勿論バーコードリード部３２は、患者カード２のバーコード２２も読込み可能であり、この場合にはバーコードリード部３２は第１記録情報及び第２記録情報を読込み可能なリード手段となり、更に、第２記録媒体をＩＣによって実施する場合には、リード手段であるバーコードリード部３２が不要となりＩＣカードリーダライタ部３３が第１記録情報及び第２記録情報を読込むリード手段となる。このように、バーコードリード部３２及びＩＣカードリーダライタ部３３は、特定の情報のみを読込み可能なのではなく、バーコードによる情報、ＩＣカードによる情報であればどの記録情報でも読込み可能であり、読込まれる情報が何の記録情報であるかは患者認証端末３の制御部（図示せず）が読込まれる順番や、あるいは入力部３１からの入力指示によって決定されれば良い。
【００４０】
更にまた、患者認証端末３には送受信部３６を設ける。送受信部３６は、回診時等に取得し入力部３１によって入力された血圧、脈拍、呼吸数等の回診時データを情報管理装置４へ出力可能であると共に、ＩＣに記憶されている患者の認証情報に対応して情報管理装置４に記憶されている情報を情報管理装置４から受領するよう送受信可能な手段である。送受信部３６により情報管理装置４から受領する情報は、入力部３１の操作によって選択される情報であり、患者カード２のＩＣに記憶されていない（ＩＣの記憶容量によってはＩＣに記憶しない場合もある）過去の回診時の回診情報や、患者の急変時等に使用しては行けない薬剤の情報や担当医師名等の情報であり、患者カード２の認証情報の患者に対応して情報管理装置４に記憶された他の情報でもよく、利用形態等により必要な情報であればよい。
更にまた、入力部３１を形成する表示部３４では、入力する際に専用のタッチペンを用い画面上をタッチした位置に表示されている内容を選択するようにしても良く、この場合には表示部３４に表示する内容を更に多く表示可能となり、表示画面１ページに表示できる表を増加できるので、複数ページに跨って表示選択することが少なくなるので、選択による入力ミスを防止可能となる。
【００４１】
更にまた、患者認証端末３には記憶部（図示せず）を設け、回診時に取得した患者情報を一時的に記憶可能である。このように、記憶部（図示せず）を設けることで、回診中に所得した複数患者の患者情報をナースステーション等情報管理装置４のあるところまで持帰ることが可能となり、例えば、無線による通信でデータ通信を行うには適さない医療用電子機器の利用されている病院内の回診時にも、患者情報を持帰ってから情報管理装置４と有線にて直接接続してからの情報授受が可能である。尚、無線による通信が行える場合には、回診時患者データを入力したときにリアルタイムで情報の送受信を可能にしても良い。患者認証端末３による情報管理装置４との情報の授受は、この実施の形態では、無線により行うよう形成したが、入院病棟等医療電子機器が設置された場所での大きな無線出力が好ましくない場合には、患者認証端末３と情報管理装置４とを極近づけた状態での極小出力による限られた範囲の無線通信や電話回線やＵＳＢ等の有線による通信手段を介しての情報授受が可能に形成しても良い。患者情報は、患者をに対して割当てられた認証情報、血圧・脈拍・呼吸数等患者の状態や投薬など患者に対して行われた医療処置情報であり、認証情報のみでもよく、医療処置情報のみでもよく、また、認証情報と医療処置情報とからなってもよく、利用形態に合わせた情報を適宜選択すれば足りる。
【００４２】
更にまた、患者カード２には患者に対して割当てられた認証情報のみが記録されており、該認証情報によって特定される患者に対する医療処置情報を当該認証情報に紐付けて記録媒体を設けた情報管理装置４等他の記録媒体に第１の医療処置情報として記録するように形成しても良く、この場合には、照合される一方は第１記録情報ではなく第１の医療処置情報となる。
尚、患者認証端末３の表示部３４は、患者カード２のＩＣが第３記録媒体であるときに、第３記録媒体から第３記録情報を読込んだときにも、第３記録情報である医療処置情報を表示可能であり、第３記録媒体が他の記録媒体である場合にも該記録媒体から受領した情報を表示可能である。
【００４３】
情報管理装置４は、特に図示しない入力部、記憶部、演算処理部等、プリンタ、ディスプレイ等を具備する一般的なコンピュータシステムからなり、患者認証端末３と無線による通信が可能に形成される。情報管理装置４には、予め記憶部に入院患者個々に認証情報を付与し、該認証情報に紐付けして、付与された患者の氏名、性別、住所、年齢等の個人情報と患者に投与された薬剤の品名及び投与経歴や診察時及び回診時に得た症状や血圧、心拍数、呼吸数の診断記憶からなる患者情報を記憶可能である。勿論この他にも患者の診察券ナンバーや保険証番号等種々の情報が患者情報として考えられ、必要なものを適宜加えれば良い。入院患者の患者情報は、情報管理装置４の入力部から入力されて記憶されると共に、患者認証端末３から送信される回診時等に採取して入力した患者情報を受領することで記憶される。そして、記憶される患者情報は常に更新されて記憶されるため、入院時から退院時さらには退院後の定期診断時まで情報収集日時の情報と共に記され患者の認証情報と照合されてプリンタやディスプレイ等に出力可能であると共に、必要に応じて患者認証端末３へ無線出力可能である。尚、患者情報は、必ずしも認証情報と照合されなければ出力できないわけではなく、情報管理装置４の入力部からの指示による場合には、患者氏名や他のキーによって検索してプリンタやディスプレイへ出力したり、或は患者認証端末３へ無線出力可能である。但し、患者認証端末３からの要求により患者情報を患者認証端末３へ出力する場合には、この実施の形態ではセキュリティ等の問題から認証情報によって照合された場合のみ出力可能とする。また、情報管理装置４によって照合を行う場合には、無線によって患者認証端末３から第１記録情報及び第２記録情報を受領し、受領した第１記録情報及び第２記録情報とを照合するか、第１記録情報及び第２記録情報が認証情報及び医療処置情報というように異なる場合には、受領した認証情報に紐付いて記録されている医療処置情報と受領した医療処置情報とを照合し、更には第１記録情報及び第２記録情報または何れかの情報が直接認証情報あるいは医療処置情報ではなく、ＩＤ情報のように第１の医療処置情報あるいは第２の医療処置情報を特定可能な情報の場合には、受領した第１記録情報、第２記録情報によって特定される第１の医療処置情報と第２の医療処置情報とを照合する。
【００４４】
そして、情報管理装置４における第１記録情報及び第２記録情報との照合は、患者認証端末３によって照合可能な場合には特に照合可能にして照合結果を表示させる等する必要はない。このように患者認証端末３によって該情報を照合可能にする場合には、第１記録情報及び第２記録情報に照合可能な情報、例えば認証情報や医療処置情報が記録されていれば良く、このように認証させることで患者認証端末３と情報管理装置４との間での無線による通信を無くすることが可能となるので、無線による電磁波の電子医療機器への影響を無くすことができ、電子医療機器を利用している入院病棟内での利用が可能となる。しかしながら、このように患者認証端末３によって照合をさせる場合であって、医療処置情報のような情報量の多い情報の照合には、第１記録媒体及び第２記録媒体の情報記録量を多くさせなければならず、患者認証端末３が高価になってしまう場合がある。これに比べ、情報管理装置４に情報量の大きな医療処置情報を記録させておき、患者認証端末３によって得た第１記録情報及び第２記録情報に紐付けられた情報管理装置４に記録されている情報相互を照合させ、照合結果を患者認証端末３へ送信するように形成することで、患者認証端末３をより安価にできる等のメリットが発生し、複数の患者認証端末３を利用した病院内全体での同システムの利用が安価に形成できる。又、患者認証端末３による情報管理装置４との情報の授受は、この実施の形態では、無線により行うよう形成したが、入院病棟等医療電子機器が設置された場所での大きな無線出力が好ましくない場合には、患者認証端末３と情報管理装置４とを極近づけた状態での極小出力による限られた範囲の無線通信や、電話回線ポートやＵＳＢポートを使用した有線による通信手段を介しての情報授受が可能に形成しても良い。
【００４５】
バーコード印字装置５は、第２記録媒体であるバーコードの付与手段であり、患者認証用第２記録媒体発行装置である。バーコード印刷装置５は、この実施の形態では投薬する薬袋に直接バーコードを印刷可能であると共に、点滴等の容器に直接貼付可能なバーコードシールを印刷可能な印刷装置であり、情報管理装置４と有線にて接続する。バーコード印字装置５と情報管理装置４との接続も、前記同様病院内に無線信号による影響を及ぼさなければ無線ＬＡＮによって接続するよう形成しても良い。５１はバーコード５２が印字されて出力された薬袋を表している。情報管理装置４と接続されるバーコード印字装置５は、患者の薬を調剤する調剤薬局に設置され、情報管理装置４と接続されて情報管理装置４から患者への投薬指示を受領して該指示に従って各患者用の投薬を調剤させる情報を表示して管理する調剤端末５３と、錠剤端末５３と接続され、投薬を渡す患者の患者名を印字すると共に該患者の認証情報であるバーコード５２を印字可能な印刷機５４からなる。調剤端末５３は、情報管理装置４から患者毎の投薬に関する情報を表示し、薬剤師は該情報に基づいて各患者の投薬を調剤し、印刷機５４によって印刷した投薬袋へ調剤した薬を納める。また、調剤端末５３は、医師らからの直接的な指示により、調剤する薬の情報（投与する患者の氏名や部屋番号等の患者の情報と薬の種類と量などの情報）を表示可能であると共に該情報に基づくバーコード５２を印刷機５４に印刷指示する。調剤端末５３は、特に詳細に説明しないが、情報管理装置４同様にコンピュータシステムからなる端末である。投薬する薬剤が、例えば点滴のような大きな容器に入っているものでは、薬袋に入れることができないので、印刷機５４では患者名・部屋番号とバーコード５２とを印字したバーコードシールを印字し、これを薬に貼付して用いることで、種々の薬剤に対応可能とする。この実施の形態では、バーコード印字装置５は薬剤用の薬袋にバーコードを印刷して薬を入れる場合を説明したが、例えば、入院患者に与える食事を用意する際に、患者の認証情報を印刷して食事用のプレートに簡便に表示できるバーコード５２を印字するようにしても良く、このようにバーコード５２を配膳の際に用いることで患者の症状に合わせた食事の配膳ミスを無くすことが可能となる。尚、患者認証用第２記録媒体発行装置であるバーコード印刷装置５は、第１記録媒体が第２記録媒体同様バーコードである場合には患者認証用第１記録媒体発行装置としても機能する。
【００４６】
６は患者カード発行装置である。患者カード発行装置６は、第１記録媒体である患者カード２を発行するＩＣカード発行装置であり、図示しないがＩＣカードリーダライタと、ＩＣカードリーダライタを動作制御する制御部と、作業者が患者カード発行装置６に対して発行指示や発行する内容を入力可能な入出力部とからなる。この実施の形態では、患者カード発行装置６は、情報管理装置４にＩＣカードリーダライタを情報入出力可能に接続し、情報管理装置４が制御部及び入手出力部として機能するように形成し、情報管理装置４内に管理される識別情報に紐付いて記録された識別情報や医療処置情報をＩＣカードリーダライタから患者カード２へ書込み可能である。この実施の形態では上述のようにカード発行装置６は情報管理装置４によって兼用されるが、同様の機能を設けてカード発行装置として別体に設け、情報管理装置４と有線あるいは無線により情報入出力可能に設けても良い。又、第２記録媒体が第１記録媒体と同様の記録媒体による場合には、カード発行装置６が第１記録媒体発行装置及び第２記録媒体発行装置とを兼ねても良い。
以下にこの発明の実施の形態の作用を説明する。尚、この実施の形態では、回診時に回診データを得ると共に、表面にバーコード５２を印字させて薬を納めた投薬袋を患者に配る場合を説明する。また、患者認証端末３は情報管理装置４とは無線による通信が可能に接続されているものとする。
【００４７】
バーコード印字装置５により各入院患者への投薬指示通りの薬が調剤される。
即ち、バーコード印字装置５の調剤端末５３に、次回配布するための患者への投薬錠剤指示が出される。この時の出力は、薬剤師が調剤端末５３の入力部（図示せず）へ調剤を開始する旨入力すると、調剤端末５３の表示部（図示せず）へ表示する。その際表示されるのは、患者の氏名、部屋番号、調剤する薬品名及び量等の患者情報であり、情報管理装置４から受領した情報である。
【００４８】
薬剤師は、該指示に従い調剤する。薬剤師は、患者Ａの調剤が終了すると調剤端末５３の入力装置（図示せず）から調剤が終了した旨入力する。すると、調剤端末５３では、調剤が終了した患者の認証情報であるバーコード５２と患者氏名・部屋番号を表面に印刷した薬袋５１を印刷出力する。薬剤師は、調剤した患者Ａ用の薬剤を、印刷された患者Ａ用の薬袋へ入れる。この作業を、回診時に配布する患者すべての薬剤に対して行う。
看護士は、各病室を回って患者の回診を開始する。この時看護士は調剤された薬剤を持ち歩く。同時に薬剤師は回診時に患者認証端末３を持ち巡回に回る。
看護士が患者Ａの所へ行くと、患者Ａが所持する患者カード２を患者認証端末３の近くへかざし、患者カード２のＩＣに記憶された患者認証用の認証情報を読込む（第１情報リードステップ）。この時、他の必要な情報も読み出すよう形成しても良い。
患者カード２から読み出した認証情報は患者認証端末３に一時的に記憶される。
【００４９】
一方看護士は、名前の表記から、患者Ａの投薬用薬袋５１をとり、患者認証端末３の操作ボタン３５及び表示部３４とを操作して、患者認証端末３のバーコード部３２による第２記録媒体である薬袋５からのバーコード５２の読込み準備を行う。
バーコード５２の読込準備ができたところで、バーコードリード部３２に薬袋５１のバーコード５２をかざし、薬袋５１に印刷されたバーコード５２を読込む（第２情報リードステップ）。
【００５０】
患者認証端末３では、患者カード２から読込んだ認証情報と薬袋５１から読込んだバーコード５２の認証情報とを照合する（照合ステップ）。
そして、照合の結果認証情報あるいは医療処置情報相互があっていればその旨患者認証端末３の表示部３４に表示する（通知ステップ）。勿論表示ステップでは、間違っている時にも警告音と共に薬袋５１が他の患者のものである旨表示させてもよい。この照合により薬袋５１と患者カード２との照合が完了する。そして、薬袋５１が患者Ａのものであるので、薬袋５１を患者Ａへ渡す。
【００５１】
尚、照合ステップで行われる照合は、この実施の形態では、第１記録媒体が患者カード２に備えるＩＣであり第２記録媒体が薬袋５１に印字されている第２記録媒体であるバーコード５２なので、認証情報の照合によって行うが、第１記録媒体及び第２記録媒体に当該患者の医療処置情報が記録されている場合には、医療処置情報相互が照合される。又、第１記録媒体あるいは第２記録媒体のどちらかに認証情報が記録され、残る記録媒体に医療処置情報が記録されている場合には、読込んだ認証情報を情報管理装置４に無線あるいは有線にて送信し、読込んだ認証情報に紐付けて記録されている医療処置情報を受信し医療処置情報相互を照合しても良く、更に又読込んだ医療処置情報を情報管理装置４へ送信して医療処置情報が紐付けられている認証情報を情報管理装置４から受信し同様に照合しても良い。更に又、患者認証端末３内に予め回診患者の医療処置情報を記憶させておき、読込んだ認証情報あるいは医療処置情報に紐付けて記録されている医療処置情報あるいは認証情報とを照合しても良い。更には、第１記録媒体及び第２記録媒体を読込むリード手段によって読込まれる情報が直接患者の名前等の認証情報ではなく、患者あるいは患者の医療処置情報を特定できる情報であればどの様な情報でも良く、情報管理装置４等の他の記録媒体に該情報に紐付けて記録されている情報から認証情報や医療処置情報を通信等の手段によって受領して照合可能であっても良い。
【００５２】
次いで、患者Ａの回診を開始し、体温、心拍数、呼吸数、血圧等必要な情報を患者から取得し、各情報を入力する表示部３４の操作画面から入力する。該入力された情報は、先に取得した患者カード２によって得た認証情報に紐付けて情報管理装置４に記憶させるように情報管理装置４へ無線送信する。勿論、回診結果を情報管理装置４へ送信記録させずに薬袋を患者に対して渡す作業だけに患者認証端末３を使用しても良い。
情報管理装置４では、第３記録媒体としてハードディスク等の記録手段を備え、患者認証端末３から受領した患者情報を認証情報に紐付ける等特定の患者の情報として取得日時と共に記憶する（第３情報ライトステップ）。この実施の形態では、第３記録媒体を情報管理装置４の記録手段とするので、第３情報ライトステップで記録させる医療処置情報を無線によって送信させるよう処理するが、例えば第１記録媒体を患者カード２に備えるバーコード２２とし第２記録媒体を薬袋５１に備えるバーコード５２とした場合等には、第３記録媒体を患者カード２に備えるＩＣとし該ＩＣに医療処置情報を記憶させても良い。更にまた、情報管理装置４以外の独立した装置として設けた第３記録媒体に認証情報に紐付ける等特定の患者の情報として記録可能にしても良い。
【００５３】
また、認証情報相互による照合が取れた後に更に回診中に医師あるいは看護士が情報管理装置４に記憶された患者Ａの患者情報を必要とするときは、患者認証端末３の操作ボタン３５と表示部３４とを操作して患者Ａの認証情報と共に所望の情報特定する情報及び無線送信するよう指示する情報を情報管理装置４へ送信する。
情報管理装置４では、認証情報を受領すると共に情報出力指示の信号を受領したので、認証情報に紐付いて記憶されている情報のうちから所望の情報を選択して、出力送信するように指示した患者認証端末３へ無線出力する。
【００５４】
患者認証端末３では、情報管理装置４が無線出力した情報を受領し、表示部３４へ表示する。医師あるいは看護士は受領した情報を表示部３４から読込む。この患者認証端末３が情報管理装置４からの情報を必要とする場合の例としては、例えば患者Ａが特定の発作を起こした場合、看護士は医師がいなくとも取り敢ず必要な薬剤を調達できる。また、その発作が投薬された薬によるかどうかを確認する場合にも、患者Ａの認証情報に紐付けて情報管理装置４記録された投薬情報と、実際に患者Ａが所持している薬剤とを比較できる。尚、投薬された薬の情報や回診時の脈拍等の患者情報や緊急を要する情報は、患者カード２のＩＣに記憶しておき読み出すように形成しても良く、必要により適宜形成可能である。更には、前記同様情報管理装置４以外の記録媒体装置を用意しておき、第１記録情報あるいは第２記録情報で特定される第１の医療処置情報あるいは第２の医療処置情報として該装置から患者認証端末３や情報管理装置４へ情報を授受可能に構成してもよい。このように第１の医療処置情報あるいは第２の医療処置情報を他の記録媒体装置に記録しておく場合では、患者認証端末３あるいは情報管理装置４で行われる照合の際に夫々第１記録情報及び第２記録情報で第１の医療情報及び第２の医療処置情報が特定される。
【００５５】
そして、患者認証端末３では、必要に応じ第３記録媒体に記録された第３記録情報を読込むことができる。該読込は、第３情報リードステップであり、照合ステップにおいて第１記録情報である患者カード２のバーコード２２及び第２記録情報である薬袋５１のバーコード５２の照合が取れたことを受けて、第３記録媒体である患者カード２のＩＣからＩＣカードリーダライタ部３３によって第３記録情報を読込むことで行われる。そして、読込まれた第３記録情報は、通知ステップによって通知される。この通知ステップによる通知は、必要に応じ表示部３４への表示や音による通知、あるいは送受信部３６による通信によって情報管理装置４へおこなう情報通信である。
【００５６】
更にまた、詳細は記述しないが、医師あるいは看護士が患者カード２同様の医師あるいは看護士ごとのＩＣカードを所持して患者認証端末３と共に回診し、看護士が所持しているＩＣカードに記憶された看護士を認証する認証情報を読込み、続けて上記一連の作業を行うことで、担当の医師あるいは看護士が誰であったかを特定でき、医師あるいは看護士の労務管理もできる。
【図面の簡単な説明】
【００５７】
【図１】この発明の実施の形態を表すシステム構成図
【図２】この発明の患者認証端末を表す説明図
【図３】従来例を表す説明図
【符号の説明】
【００５８】
１    患者認証システム１
２    第１記録媒体である患者カード
２１  顔写真
２２  バーコード
３    患者認証端末
３１  入力部
３２  バーコードリード部
３３  ＩＣカードリーダライタ部
３４  表示部
３５  操作ボタン
３６  送受信部
４    情報管理装置
５    バーコード印字装置
５１  薬袋
５２  第２記録媒体であるバーコード
５３  調剤端末
５４  印刷機
６    カード発行装置
【図１】
2005118224.tif 000003
【図２】
2005118224.tif 000004
【図３】
2005118224.tif 000005